(57)【特許請求の範囲】
【請求項１】
作物に肥料を施すために用いられ、以下を含有する肥料材料：
アンモニア性肥料および第１コポリマーの部分カルシウム塩を含む第１肥料製品；および
燐性肥料および第２コポリマーの部分ナトリウム塩を含む第２肥料製品、
前記第１コポリマーは、イタコン酸および／または無水イタコン酸ならびにマレイン酸および／または無水マレイン酸モイエティで構成する反復ポリマーサブユニットを含み、
前記第２コポリマーは、イタコン酸および／または無水イタコン酸ならびにマレイン酸および／または無水マレイン酸モイエティで構成する反復ポリマーサブユニットを含み、
前記第１肥料製品の量は、３０〜２００ｌｂｓ．Ｎ／エーカー存在し、前記第２肥料製品の量は、１０〜８０ｌｂｓ．Ｐ２Ｏ５／エーカー存在する、肥料材料。
【請求項２】
前記第１コポリマーの前記部分カルシウム塩は、第１肥料製品の総容量を１００容量％とすると、０．０１〜２容量％のレベルで前記アンモニア性肥料と混合される請求項１に記載の肥料材料。
【請求項３】
前記レベルは０．１〜０．５容量％である請求項２に記載の肥料材料。
【請求項４】
前記第２コポリマーの前記部分ナトリウム塩は、第２肥料製品の総容量を１００容量％とすると、０．０１〜２容量％のレベルで前記燐性肥料と混合される請求項１に記載の肥料材料。
【請求項５】
前記レベルは０．１〜０．５容量％である請求項４に記載の肥料材料。
【請求項６】
前記第１コポリマーの前記部分カルシウム塩は、ｐＨが１〜３．５である水溶液製品として、前記アンモニア性肥料に付けられる、または、混合される、請求項１〜５のいずれか１項に記載の肥料材料。
【請求項７】
前記第２コポリマーの前記部分ナトリウム塩は、ｐＨが５〜１０である水溶液製品として、前記燐性肥料に付けられる、または、混合される、請求項１〜６のいずれか１項に記載の肥料材料。
【請求項８】
前記アンモニア性肥料は、アンモニア、硝酸アンモニウム、硫酸アンモニウム、尿素、第一燐酸アンモニウム、第二燐酸アンモニウム、硝酸ナトリウム、硝酸カルシウム、硝酸カリウム、炭酸ナトリウムの硝酸塩、尿素ホルムアルデヒド、メチルアンモニウムホスフェート、アンモニア過燐酸塩、およびそれらの混合物から成る群から選択される請求項１に記載の肥料材料。
【請求項９】
前記アンモニア性肥料は尿素を含有する請求項８に記載の肥料材料。
【請求項１０】
前記アンモニア性肥料は液体または固体の肥料である請求項１に記載の肥料材料。
【請求項１１】
前記燐性肥料は第一燐酸アンモニウム（ＭＡＰ）、第二燐酸アンモニウム（ＤＡＰ）、燐酸カルシウム（正燐酸塩および過燐酸塩）、燐酸アンモニウム、アンモニウム過燐酸塩、ポリ燐酸アンモニウム、燐酸、塩基性スラグ、燐灰土、燐酸コロイド，燐酸骨、硫酸アンモニウム、チオ硫酸アンモニウム、およびそれらの混合物から成る群から選択される請求項１に記載の肥料材料。
【請求項１２】
前記第１および第２コポリマーは同じである請求項１に記載の肥料材料。
【請求項１３】
前記第１および第２コポリマーは、それぞれイタコン酸および無水マレイン酸モイエティを含有する請求項１に記載の肥料材料。
【請求項１４】
肥料材料を土壌または前記作物の上に施用する工程を含む、作物に肥料を施す方法であって、前記肥料材料は、アンモニア性肥料および第１コポリマーの部分カルシウム塩を含有する第１肥料製品、および燐性肥料および第２コポリマーの部分ナトリウム塩を含有する第２肥料製品を含み、
前記第１コポリマーは、イタコン酸および／または無水イタコン酸ならびにマレイン酸および／または無水マレイン酸モイエティで構成する反復ポリマーサブユニットを含み、
前記第２コポリマーは、イタコン酸および／または無水イタコン酸ならびにマレイン酸および／または無水マレイン酸モイエティで構成する反復ポリマーサブユニットを含み、
前記第１肥料製品の量は、３０〜２００ｌｂｓ．Ｎ／エーカー存在し、前記第２肥料製品の量は、１０〜８０ｌｂｓ．Ｐ２Ｏ５／エーカー存在する、方法。
【請求項１５】
前記第１コポリマーの前記部分カルシウム塩は、第１肥料製品の総容量を１００容量％とすると、０．０１〜２容量％のレベルで前記アンモニア性肥料と混合される請求項１４に記載の方法。
【請求項１６】
前記レベルは０．１〜０．５容量％である請求項１５に記載の方法。
【請求項１７】
前記第２コポリマーの前記部分ナトリウム塩は、第２肥料製品の総容量を１００容量％とすると、０．０１〜２容量％のレベルで前記燐性肥料と混合される請求項１４に記載の方法。
【請求項１８】
前記レベルは０．１〜０．５容量％である請求項１７に記載の方法。
【請求項１９】
前記第１コポリマーの前記部分カルシウム塩は、ｐＨが１〜３．５である水溶液製品として、前記アンモニア性肥料に付けられる、または、混合される、請求項１４〜１８のいずれか１項に記載の方法。
【請求項２０】
前記第２コポリマーの前記部分ナトリウム塩は、ｐＨが５〜１０である水溶液製品として、前記燐性肥料に付けられる、または、混合される、請求項１４〜１９のいずれか１項に記載の肥料材料。
【請求項２１】
前記アンモニア性肥料は、アンモニア、硝酸アンモニウム、硫酸アンモニウム、尿素、第一燐酸アンモニウム、第二燐酸アンモニウム、硝酸ナトリウム、硝酸カルシウム、硝酸カリウム、炭酸ナトリウムの硝酸塩、尿素ホルムアルデヒド、メチルアンモニウムホスフェート、アンモニア過燐酸塩、およびそれらの混合物から成る群から選択される請求項１４に記載の方法。
【請求項２２】
前記アンモニア性肥料は尿素を含有する請求項２１に記載の方法。
【請求項２３】
前記アンモニア性肥料は液体または固体の肥料である請求項１４に記載の方法。
【請求項２４】
前記燐性肥料は第一燐酸アンモニウム（ＭＡＰ）、第二燐酸アンモニウム（ＤＡＰ）、燐酸カルシウム（正燐酸塩および過燐酸塩）、燐酸アンモニウム、アンモニウム過燐酸塩、ポリ燐酸アンモニウム、燐酸、塩基性スラグ、燐灰土、燐酸コロイド，燐酸骨、硫酸アンモニウム、チオ硫酸アンモニウム、およびそれらの混合物から成る群から選択される、請求項１４に記載の方法。
【請求項２５】
前記第１および第２コポリマーは同じである請求項１４に記載の方法。
【請求項２６】
前記第１および第２コポリマーは、それぞれイタコン酸および無水マレイン酸モイエティを含有する請求項１４に記載の方法。
【請求項２７】
前記第１および第２肥料製品は、実質的に同時に施用される請求項１４に記載の方法。
【請求項２８】
前記第１および第２肥料製品は逐次順に施用される請求項１４に記載の方法。
【請求項２９】
前記第１および第２肥料製品は一緒に混合されて施用される請求項１４に記載の方法。
【発明の詳細な説明】
【技術分野】
【０００１】
本発明は広義には肥料材料によって作物の収穫量を増大させる二重成分肥料材料およびその使用方法に関する。更に詳細には本発明はアンモニア性肥料とコポリマーの部分カルシウム塩とを含む第１肥料製品、および燐性肥料とコポリマーの部分ナトリウム塩とを含む第２肥料製品を含有し、第１および第２肥料製品は作物収穫量を増加させるために相乗効果量用いられるような肥料材料に関する。
【背景技術】
【０００２】
農業の始まり以来、植物は様々な材料を用いて肥料を施されて来た。肥料には糞尿製品やアンモニア性窒素材料（例えば、無水アンモニアおよび尿素）、およびポリ燐酸アンモニウムや燐鉱石から派生するその他の製品のような燐性肥料が含まれている。世界規模の産業では、所望のＮ−Ｐ−Ｋ等級を持つ現代の肥料をあらゆる様々な組合せで提供している。
【０００３】
近年では、特に従来の肥料と組合せて用いると有意な農業機能を有する生物分解性ポリマーを記載する一連の米国特許が発行されている。例えば、米国特許第６，５１５，０９０号には、例えばイタコン酸や無水マレイン酸モイエティ（moieties、部分)で構成される、ジカルボン酸コポリマーが記載されている。この特許はまたこのようなコポリマーを金属または他のカチオンを用いて部分的に中和しうること、肥料と共に用いて複合製品を形成しうることも開示している。これらの肥料−コポリマーの複合製品は成長する植物により吸収される燐の可用度を増大することが示されており、また植物の近傍の土壌に施肥、あるいは葉面散布によって施肥することができる。上述の特許第６，５１５，０９０号に記載のポリマーは、Ｓｐｅｃｉａｌｔｙ  Ｆｅｒｔｉｌｉｚｅｒ  Ｐｒｏｄｕｃｔｓ社（Ｂｅｌｔｏｎ、ＭＯ州）から商品名ＮＵＴＲＩＳＰＨＥＲＥ−ＮTMおよびＡＶＡＩＬTMとして市販されている。
【発明の概要】
【０００４】
本発明は、作物収穫量の増加に相乗効果をもたらす多重成分肥料材料を提供しうるという発見に基づくものである。広義にはそのような肥料材料はアンモニア性肥料および第１コポリマーの部分カルシウム塩を含む第１肥料製品、および燐性肥料および第２コポリマーの部分ナトリウム塩を含む第２肥料製品を含む。これらの肥料製品は特定の作物に関して相乗効果量存在する。好ましいコポリマーは引用として本書に組み込まれる米国特許第６，５１５，０９０号に記載されている種類のものである。
【０００５】
特に好ましい態様においては、第１肥料製品は、実質的に等モル量のイタコン酸および無水マレイン酸モイエティで構成され、ｐＨが１〜５の規模の、コポリマーの部分カルシウム塩の分散水と組合された、尿素のような従来の肥料を含む。第２肥料製品は、同様のコポリマーの部分ナトリウム塩と組合された第二燐酸アンモニウム（ＤＡＰ）または液体ポリ燐酸アンモニウムのような肥料を含む。
【発明を実施するための形態】
【０００６】
本発明の好ましい方法は、土壌および／または植物に第１および第２肥料製品をそれぞれ相乗効果量含有する肥料材料を施用することによって肥料を施す工程を含む。第１肥料製品は、アンモニア性肥料と、少量の、１種または２種以上の選択されたクラスのコポリマーの部分カルシウム塩との配合物であり、一方、第２肥料製品は、燐性肥料と、１種または２種以上のコポリマーのクラスの部分ナトリウム塩との配合物である。第１および第２肥料製品の「相乗効果量」とは、組合わさって作物収穫量の増大をもたらすように調整された量、すなわち、そのような量の第１および第２肥料製品を個別に施用した場合に得られるであろう作物収穫量以上の作物収穫量をもたらすように調整された各肥料製品の量のことを言う。言い換えると、第１および第２肥料製品の調整された量は、それぞれの肥料製品を同量、単独で用いた場合に得られる単なる相加効果よりも大きい作物収穫量をもたらす。第１および第２肥料製品の相乗効果量とは特定の作物に向けたものであり、また対象となる作物、土壌条件、周囲の気候、およびその他の要因に依存して、第１肥料製品が第２肥料製品に比べて量が多く存在しうる、またはその逆でありうることが理解されるであろう。しかしながら、一般には、第１アンモニア性肥料製品の量は、通常、約３０〜２００ｌｂｓ．Ｎ／エーカー、より好ましくは約５０〜１５０ｌｂｓ．Ｎ／エーカー存在する。第２燐性肥料製品は、通常、第１アンモニア性肥料製品より少ない量、一般には、約１０〜８０ｌｂｓ．Ｐ２Ｏ５／エーカー、より好ましくは約２０〜５０ｌｂｓ．Ｐ２Ｏ５／エーカー存在する。
【０００７】
第１肥料製品はアンモニア性肥料を含む。ここでは多数あるその種の肥料のうちのいずれも用いうる。例示的なアンモニア性肥料としては、アンモニア、硝酸アンモニウム、硫酸アンモニウム、尿素、第一燐酸アンモニウム、第二燐酸アンモニウム、硝酸ナトリウム、硝酸カルシウム、硝酸カリウム、炭酸ナトリウムの硝酸塩、尿素ホルムアルデヒド、メチルアンモニウムホスフェート、アンモニア過燐酸塩、およびそれらの混合物から成る群から選択されるもののような、アンモニア性窒素含有肥料が挙げられる。肥料は好ましくは固体または液体の形状であり、最も好ましい肥料は粒状尿素である。
【０００８】
第１肥料製品のコポリマー部分は、１つのクラスのコポリマーの１種または２種以上のメンバーの部分カルシウム塩を含有し、そのコポリマーは、反復ポリマーサブユニットを含み、各サブユニットは、少なくとも２種の異なるモイエティから構成され、そのモイエティは、Ａ、Ｂ、およびＣモイエティ、または反復（recurring)Ｃモイエティ、および異ならない複数のＣモイエティから成る群から個別にそれぞれ選ばれ、ここで、モイエティＡは次の一般式を持ち、
【化１】
0005455938.tif 000002
モイエティＢは次の一般式を持ち、
【化２】
0005455938.tif 000003
およびモイエティＣは次の一般式を持ち、
【化３】
0005455938.tif 000004
【０００９】
式中、Ｒ１、Ｒ２およびＲ７は、Ｈ、ＯＨ、Ｃ１〜Ｃ３０直鎖状、分鎖状および環状アルキルまたはアリール基；Ｃ1〜Ｃ３０直鎖状、分鎖状および環状アルキルまたはアリールＣ１〜Ｃ３０を主体とするエステル基（ホルメート（Ｃ０）、アセテート（Ｃ１）、プロピオネート（Ｃ２）、ブチレート（Ｃ３）、等、最大Ｃ３０）、Ｒ’ＣＯ２基、およびＯＲ’基；から成る群から個別にそれぞれ選択され；ここでＲ’はＣ1〜Ｃ３０直鎖状、分鎖状および環状アルキルまたはアリール基から成る群から選択され；Ｒ３およびＲ４は、Ｈ、Ｃ１〜Ｃ３０直鎖状、分鎖状および環状アルキルまたはアリール基から成る群から個別にそれぞれ選択され；Ｒ５、Ｒ６、Ｒ１０およびＲ11は、Ｈ、アルカリ金属、ＮＨ４およびＣ１〜Ｃ４アルキルアンモニウム基から成る群から個別にそれぞれ選択され；ＹはＦｅ、Ｍｎ、Ｍｇ、Ｚｎ、Ｃｕ、Ｎｉ、Ｃｏ、Ｍｏ、Ｖ、Ｃｒ、Ｓｉ、Ｂ、およびＣａから成る群から選択され；Ｒ８およびＲ９は無、ＣＨ２、Ｃ２Ｈ４、およびＣ３Ｈ６から成る群から個別にそれぞれ選択される肥料材料。多くの場合、Ｒ３、Ｒ２、およびＲ７基の１以上はポリマーサブユニットがＡおよびＣモイエティで構成されるＯＨであり、またＲ１、Ｒ２、Ｒ３、Ｒ４、およびＲ７基の１以上は、ポリマーサブユニットがＡ、ＢおよびＣモイエティで構成されるＯＨである。
【００１０】
更に好ましいクラスのポリマーは次の一般式を持ち、
【化４】
0005455938.tif 000005
式中、Ｘはカチオンであり、ｐは約１０〜５００の範囲である。Ｘ置換基の数種以上はカルシウムであり、他は異なる金属カチオン（例えば、アルカリおよびアルカリ土類金属カチオン）でありうる。また数種はＨである。このようにコポリマーは部分塩または複合体として存在する。
【００１１】
第１肥料製品は、任意の簡便な手段を用い、肥料およびポリマー部分を混合して、形成しうる。例えば固形肥料の場合は、噴霧または浸漬によってポリマーを最も簡便に施用することができる。液体肥料を用いる場合は、通常、適切な撹拌工程を用いてコポリマーを液体中に混合する。しかしながら、肥料およびポリマー材料を、同時にまたは逐次に、別々に耕地に施用することも可能であるが、この方法は通常は好まれない。
【００１２】
第１肥料製品のコポリマー部分は、通常、固形分が約２０〜８０重量％、より好ましくは約３０〜５０重量％であり、ｐＨが約１〜５、より好ましくは約２〜３．５である水溶液製品である。
【００１３】
第２肥料製品は第一燐酸アンモニウム（ＭＡＰ）、第二燐酸アンモニウム（ＤＡＰ）、燐酸カルシウム（正燐酸塩および過燐酸塩）、燐酸アンモニウム、アンモニウム過燐酸塩、ポリ燐酸アンモニウム、燐酸、塩基性スラグ、燐灰土、燐酸コロイド，燐酸骨、硫酸アンモニウム、チオ硫酸アンモニウム、およびそれらの混合物のような燐性肥料を含む。第２肥料製品のコポリマー部分は、上述の第１肥料製品に関して定義したコポリマーと同一クラスの１種または２種以上の部分ナトリウム塩から構成される。第２肥料製品のコポリマー部分は、通常、固形分が約２０〜８０重量％、より好ましくは約３０〜５０重量％であり、ｐＨは約５〜１０、より好ましくは約６〜８である水溶液製品である。第２肥料製品は、第１肥料製品と同様の方法で調製しうる。
【００１４】
第１および第２肥料製品に使用されるコポリマーのレベルは、実質的に同じである。具体的には、それぞれの場合のコポリマー塩は、通常、第１および第２肥料製品中に、各肥料製品の総容量を１００容量％とするときに、約０．０１〜２．０容量％、より好ましくは約０．１〜０．５容量％のレベルで存在するべきである。
【００１５】
第１および第２肥料製品は、両製品が植物または植物の近隣の土壌の上または周りに存在しさえすれば、様々な方法で用いうる。例えば肥料製品を別々に配合し、土壌または植物に実質的に同時または逐次に、施用することができる。他の代替例では、第１および第２肥料製品を一緒に配合して、その条件で施用することができる。用いられる肥料製品の型、および固体または液体のいずれであるかに依存して、製品を撒布（ｓｐｒｅａｄｉｎｇ）や散布（ｂｒｏａｄｃａｓｔ）によって、施用することができる。
【００１６】
本発明の方法は、作物が二重施肥によって恩恵を受けるものであれば、実質的に無限の数の作物に有用である。例示的作物としては、トウモロコシ、小麦、オート麦、大麦、サトウモロコシ、ミロ、米、綿花、大豆、およびムラサキウマゴヤシ、およびその他の飼料作物から成る群から選択されるものが挙げられる。イタコン酸／マレイン酸コポリマーの部分カルシウム塩で構成される第１肥料製品を用いて良好な結果が得られている。同様にして、第２肥料製品はナトリウムカチオンで部分的に中和した同様のイタコン酸／マレイン酸コポリマーを用いて配合しうる。
【００１７】
以下の実施例では、本発明の好ましいカルシウムおよびナトリウム部分塩コポリマーによって補完した肥料を用いる収穫量実験について記載する。しかしながら、これらの実施例は例示として示されているのであって、本発明の全体の範囲をなんら限定するものではないことを理解されたい。
【実施例１】
【００１８】
この実験では、部分カルシウム塩コポリマーを用いて処理された粒状尿素肥料、および部分ナトリウム塩コポリマーによって処理された第二燐酸アンモニウム（ＤＡＰ）肥料の、スズメノチャヒキ（Ｂｒｏｍｅｇｒａｓｓ）の収穫量に対する相互作用を調査した。実験はＫＳ州Ｓｃａｎｄｉａの近くに位置する、クレタ（Ｃｒｅｔｅ）シルト質壌土の上の、実験用耕地において実施した。処理には、単独の粒状尿素として、または部分カルシウム塩コポリマーで処理した粒状尿素として、６０と１００ｌｂｓ．Ｎ／エーカーの２種類の割合の窒素（Ｎ）の施肥が含まれた。追加の処理には、単独のＤＡＰとして、または部分ナトリウム塩コポリマーで処理したＤＡＰ、として、３０ｌｂｓ．Ｐ２０５／エーカーの施肥が含まれた。無処理の調査用の区画も含まれた。
【００１９】
４年目の、一度も施肥されていない、スズメノチャヒキの既存のスタンドを持つ区域で実験を行った。すべての施肥は、表面に施用し散布した。窒素と燐性肥料の施肥は３月２０日に別々に行った。区画は５月１８日に収穫した。収穫にあたり、各区画から飼料材料の副試料を採取し、計量し、乾燥させ、次に再び計量し、飼料の乾燥重量を決定した。収穫量を、乾燥重量をもとにＩｂｓ．／エーカーの単位で報告した。実験区域の土壌試験の結果は、ｐＨ６．８、有機物２．８％、Ｂｒａｙ−１  Ｐ  １８ｐｐｍ、および交換性Ｋ  ２９０ｐｐｍ．であった。
【００２０】
尿素＋コポリマー材料は、液体コポリマーを粒状尿素に対して０．２５容量％のレベル（１トンの尿素に１／２ガロンの液体コポリマー）で、実質的に均質になるように噴霧することによって調製した。ポリマーは、Ｓｐｅｃｉａｌｔｙ  Ｆｅｒｔｉｌｉｚｅｒ  Ｐｒｏｄｕｃｔｓ社（Ｂｅｌｔｏｎ、ＭＯ州）から販売されている市販の尿素用のＮＵＴＲＩＳＰＨＥＲＥ−ＮＴＭ（ＮＳＮ）であった。このポリマーはカルシウムイオン（ＣＡＳ＃  ８７７４６９−３８−０）で部分的に中和された、実質的に等モル量のイタコン酸および無水マレイン酸モイエティの４０重量％固体の水性コポリマーであり、ｐＨは２．５〜５である。
【００２１】
同様に、ＤＡＰ＋コポリマーは、液体コポリマーを粒状ＤＡＰに対して０．２５容量％のレベル（１トンのＤＡＰに対して１／２ガロンの液体コポリマー）で、実質的に均質になるように噴霧することによって調製した。ポリマーはＳｐｅｃｉａｌｔｙ  Ｆｅｒｔｉｌｉｚｅｒ  Ｐｒｏｄｕｃｔｓ社（Ｂｅｌｔｏｎ、ＭＯ州）から販売されている市販のＡＶＡＩＬＴＭであった。このポリマーはナトリウムイオン（ＣＡＳ＃  ５５６０５５−７６−６）で部分に中和された、実質的に等モル量のイタコン酸および無水マレイン酸モイエティの４０重量％固体の水性コポリマーであり、ｐＨは６〜８である。
【００２２】
下の表はこの実験の結果を示すもので、表中、ｌｂｓ．Ｎ／エーカーは、無処理の粒状尿素の施肥を表し、ｌｂｓ．Ｎ／エーカー＋ＮＳＮは、ＮＳＮ−補完粒状尿素の施肥を表し、ｌｂｓ．Ｐ２０５／エーカーは無処理ＤＡＰの施肥を表し、ｌｂｓ．Ｐ２０５／エーカー＋ＡＶＡＩＬは、ＡＶＡＩＬ−補完ＤＡＰの施肥を表す。
【００２３】
【表１】
0005455938.tif 000006
【００２４】
ダンカン多重範囲検定（Ｄｕｎｃａｎ’ｓ  Ｍｕｌｔｉｐｌｅ  Ｒａｎｇｅ  Ｔｅｓｔ）を用いて手段を区別した。同一文字を伴う手段は有意差はない。
【００２５】
飼料の最大収穫量は、尿素＋ＮＳＮをＤＡＰ＋ＡＶＡＩＬと組合せた施肥によって得られた。耕地はＮおよびＰに対して反応が高かった。ＮＳＮおよびＡＶＡＩＬポリマーの使用によりＮおよびＰ両方の有効性が改善された。
【実施例２】
【００２６】
この実験では、部分カルシウム塩コポリマーによって処理された液体尿素−硝酸アンモニウム肥料（２８％  ＵＡＮ）と部分ナトリウム塩コポリマーによって処理されたポリ燐酸アンモニウム（ＡＰＰ、１０−３４−０）肥料の、トウモロコシの収穫量に対する相互作用について調査した。実験はＫＳ州Ｓｃａｎｄｉａの近くに位置する、クレタ（Ｃｒｅｔｅ）シルト質壌土の上の、実験用耕地において実施した。処理には、単独ＵＡＮとして、または部分塩コポリマーで補完したＵＡＮを用いて、１６０と２４０ｌｂｓ．Ｎ／エーカーの２種類の割合の窒素（Ｎ）の施肥が含まれた。付加的な処理には、単独のＡＰＰとして、または部分ナトリウム塩コポリマーで補完されたＡＰＰとして、３０ｌｂｓ．Ｐ２０５／エーカーの施肥が含まれた。無処理の調査用の区画も含まれた。この実験区域の土壌試験の結果は、ｐＨ６．８、有機物２．８％，Ｂｒａｙ−１ Ｐ １８ｐｐｍ、および交換性Ｋ ２９０ｐｐｍであった。
【００２７】
窒素肥料は、４月２７日に、土壌表面に、前年の大豆作物からの残余の中に、散布した。燐性肥料は、トウモロコシの作条の横２インチの、土壌表面の上に、付加的な耕作なしに、スターターとして、４月３０日に、施肥した。作付けされたトウモロコシは、ハイブリッドのＰｉｏｎｅｅｒ  ３３Ｂ５１であり、３２，０００シード／エーカーの割合で使用された。耕地は、成長期には６回かんがいし、各かんがい時に１．２５インチの水を使用した。トウモロコシは１１月１日に収穫した。
【００２８】
ＵＡＮ＋コポリマー材料は、液体コポリマーを、０．５０容量％のレベルで、液体ＵＡＮに、実質的に均質になるように混合することによって調製した。ポリマーはＳｐｅｃｉａｌｔｙ  Ｆｅｒｔｉｌｉｚｅｒ  Ｐｒｏｄｕｃｔｓ社（Ｂｅｌｔｏｎ、ＭＯ州）から販売されている市販の液体肥料用ＮＵＴＲＩＳＰＨＥＲＥ−ＮＴＭ（ＮＳＮ）であった。このポリマーは、カルシウムイオン（ＣＡＳ＃  ８７７４６９−３８−０）によって部分に中和された、実質的に等モル量のイタコン酸および無水マレイン酸モイエティの４０重量％固体の水性コポリマーであり、ｐＨは１〜２である。
【００２９】
同様に、ＡＰＰ＋コポリマーは、液体コポリマーを、０．５０容量％で、液体ＡＰＰに混合し、実質的に均質になるように調製した。ポリマーは、Ｓｐｅｃｉａｌｔｙ  Ｆｅｒｔｉｌｉｚｅｒ  Ｐｒｏｄｕｃｔｓ社（Ｂｅｌｔｏｎ、ＭＯ州）によって販売されている市販のＡＶＡＩＬTMであった。このポリマーは、ナトリウムイオン（ＣＡＳ＃  ５５６０５５−７６−６）で部分に中和された、実質的に等モル量のイタコン酸および無水マレイン酸モイエティの４０重量％の固体水性コポリマーであり、ｐＨは６〜８である。
【００３０】
下の表はこの実験の結果を示すもので、表中、ｌｂｓ．Ｎ／エーカーは、無処理ＵＡＮの施肥を表し、ｌｂｓ．Ｎ／エーカー＋ＮＳＮは、ＮＳＮ−補完ＵＡＮの施肥を表し、ｌｂｓ．Ｐ２０５／エーカーは無処理ＡＰＰの施肥を表し、ｌｂｓ．Ｐ２０５／エーカー＋ＡＶＡＩＬは、ＡＶＡＩＬ−補完ＡＰＰの施肥を表す。
【００３１】
【表２】
0005455938.tif 000007
ダンカン多重範囲検定（Ｄｕｎｃａｎ’ｓ  Ｍｕｌｔｉｐｌｅ  Ｒａｎｇｅ  Ｔｅｓｔ）を用いて手段を区別した。同一文字を伴う手段は有意差はない。
【００３２】
この実験において、トウモロコシの最大収穫量は、ＡＶＡＩＬ−処理ＡＰＰを作付け時にスターターとして施肥するとともに、ＵＡＮ＋ＮＳＮを１６０または２４０ｌｂｓ．Ｎ／エーカー施肥したときに得られた。単独のＡＰＰを用いるＮＳＮ−処理ＵＡＮは、単独のＡＰＰを用いる単独のＵＡＮより、高い収穫量を提供した。割合が１６０ｌｂｓ．Ｎ／エーカーの時は、２つのポリマーの追加は、ＮおよびＰを単独で施肥した場合に比べて、３１ｂｕ／エーカーの収穫量増加という結果になった。収穫量の利点はＮＳＮおよびＡＶＡＩＬコポリマーの両方を用いた場合に最大であった。この研究は、ＮおよびＰの両方を含有する肥料の有効性は、コポリマーの追加により、大きく改善されることを示している。